(57)【特許請求の範囲】
【請求項１】
電気コンタクトを受容するよう構成される後端と、対応する前記電気コンタクト同士を結合させるために互いに嵌合可能となるよう構成される前端とをそれぞれ有し、前記電気コンタクト同士が部分的に嵌合する初期位置と、前記電気コンタクト同士が嵌合完了する最終位置との間を移動可能である第１及び第２ハウジングと、前記第１ハウジングと係合する保持開口及び前記第２ハウジングと係合する保持要素とを有するカムアームを具備するレバー部材であって、前記保持開口により画定される回転軸の回りに前記レバー部材を所定可動範囲回転させると、前記カムアームが前記初期位置及び前記最終位置の間で前記第１及び第２ハウジングを移動させるレバー部材とを具備し、
前記第１ハウジングは、前記第１及び第２ハウジングが前記初期位置に位置すると固定位置に前記カムアームを保持することにより、前記レバー部材の前記所定可動範囲内の移動を制限する可撓性突出部を有する電気コネクタにおいて、
前記可撓性突出部は、前記第１ハウジングの側壁の凹部内に、前記カムアームの両側に沿って１対配置されており、
前記第２ハウジングは、前記可撓性突出部と整列するレールを有し、
該レールは、前記第１ハウジングが初期位置から前記第２ハウジング内へ移動すると、前記可撓性突出部を前記カムアームから離れる方向に変位させることを特徴とする電気コネクタ。
【請求項２】
電気コンタクトを受容するよう構成される後端と、対応する前記電気コンタクト同士を結合させるために互いに嵌合可能となるよう構成される前端とをそれぞれ有し、前記電気コンタクト同士が部分的に嵌合する初期位置と、前記電気コンタクト同士が嵌合完了する最終位置との間を移動可能である第１及び第２ハウジングと、前記第１ハウジングと係合する保持開口及び前記第２ハウジングの内壁から延びる嵌合ポストと係合する第１及び第２ギア面を有するカムアームを具備するレバー部材であって、前記保持開口により画定される回転軸の回りに前記レバー部材を所定可動範囲回転させると、前記カムアームが前記初期位置及び前記最終位置の間で前記第１及び第２ハウジングを移動させるレバー部材とを具備し、
前記第１ハウジングは、前記第１及び第２ハウジングが前記初期位置に位置すると固定位置に前記カムアームを保持することにより、前記レバー部材の前記所定可動範囲内の移動を制限する可撓性突出部を有する電気コネクタにおいて、
前記可撓性突出部は、前記第１ハウジングの側壁の凹部内に、前記カムアームの両側に沿って１対配置されており、
前記第２ハウジングは、前記嵌合ポストから延びて前記可撓性突出部と整列するレールを有し、
該レールは、前記第１ハウジングが初期位置から前記第２ハウジング内へ移動すると、前記可撓性突出部を前記カムアームから離れる方向に変位させることを特徴とする電気コネクタ。
【発明の詳細な説明】
【０００１】
【発明の属する技術分野】
本発明は、電気コネクタ、より詳細には、嵌合操作力低減のためのレバーを有する電気コネクタに関する。
【０００２】
【従来の技術】
自動車用電気部品等においては、電子部品が多数の電気コンタクトの嵌合を要する場合がある。このような電子部品は多数の電気コンタクトを保持する１個のコネクタハウジングを有し、他方、嵌合相手コネクタハウジングも同数の電気コンタクトを保持する。嵌合するべき電気コンタクトの数が増加するにつれて、互いに嵌合する電気コンタクト間の摩擦により、互いに嵌合するコネクタハウジングを結合完了させることが困難になる。コネクタハウジングは、互いに嵌合する電気コンタクトにより生ずる摩擦抵抗に打ち勝つために、コネクタハウジングを共に引くレバー−ギアシステムを有する電気コネクタに形成される。
【０００３】
従来の電気コネクタは、レバーと、電気コンタクトを有する第１及び第２のコネクタハウジングとを具備する。第１コネクタハウジングは、第２コネクタハウジングの内側に配置されるように構成されている。レバーは、ハンドルと、第１コネクタハウジングの両端壁から延びて両端壁と並んで回転する２本のレバーアームとを有する。第２コネクタハウジングは、第１コネクタハウジング及びレバーアーム上を摺動し、電気コネクタの更なる挿入に抵抗を受ける点まで第１コネクタハウジング及びレバーアームを取り囲む。各レバーアームはギア歯を有するカムアームを具備する。ラックは、各ラックがカムアームの一方のギア歯に対応した状態で、第２コネクタハウジング内に配置される。第１コネクタハウジングが第２コネクタハウジング内に挿入されると、カムアームがラック間を遮られることなく摺動してラックと係合するように整列するように、レバーは固定位置に方向付けられる。
【０００４】
ハンドルを第１方向に回転させると、ラック及びカムアームが互いに係合して第１ハウジング及びレバーを第２コネクタハウジング内へ下方に引っぱり、電気コンタクトを嵌合させる。また、ハンドルを第２方向に回転させると、第１コネクタハウジングは第２コネクタハウジングから上方に引っ張られ、電気コンタクトの嵌合を解除する。
【０００５】
第２コネクタハウジングへの挿入前にレバーを必要な固定位置に維持するために、レバーアームの上側部分に開口を有する電気コネクタがある。その開口は、第１コネクタハウジングの両端壁から外側に延びる可撓性ラッチを受容すると共にこれら可撓性ラッチに保持される。第１コネクタハウジングが第２コネクタハウジング内に配置されると、ラッチは第１コネクタハウジングに向かう内方へ偏倚し、レバーアームが固定位置から外れる。しかし、可撓性アーム及び開口の組合せを使用すると、第１コネクタハウジングに対してレバーが低い位置にあることが必要になる。第１コネクタハウジングを第２コネクタハウジング内へ下方に配置するために、レバーは、第１コネクタハウジング上の直立位置まで上方に回転される。このため、レバーはより大きな空間をとり、電気コンタクトを相互接続する際に周囲の他の部品と干渉するので、電気コネクタと共に使用される部品数を制限してしまう。
【０００６】
他の電気コネクタでは、第２コネクタハウジングへの挿入前にレバーアームが第１コネクタハウジングから直立して延びた状態でレバーを固定位置に維持する。この結果、レバーは、第１コネクタハウジングに対して下方に回転されて電気コンタクトを相互接続する。レバーアームはカムアーム付近に開口を有する。開口は、第１コネクタハウジングの両端壁から延びる突起を受容し、これら突起により保持される。第１コネクタハウジングが第２コネクタハウジング内に配置されると、レバーは、開口を突起から係合解除するのに必要な力で押圧され、固定位置から外れる。しかし、これら突起は小さいので、レバーアームのごく少量の表面領域に係合する。このため、レバーに弱い力が作用する場合でも、レバーアームは早すぎるタイミングで突起との係合が外れるので、レバーは最早固定位置に固定することができない。また、突起は、レバーと全く係合しなくなるまで早期に摩耗し易い。
【０００７】
【特許文献１】
米国特許第５８３３４８４号明細書（図５、図６）
【０００８】
【発明が解決しようとする課題】
従って、本発明は、従来技術が内包する上述の問題及び他の問題を克服する電気コネクタを提供することを目的とする。
【０００９】
【課題を解決するための手段】
本発明は、第１及び第２ハウジングを有する電気コネクタに関する。第１及び第２ハウジングは、電気コンタクトを受容するよう構成される後端と、対応する電気コンタク同士を結合させるために互いに嵌合可能となるよう構成される前端とを有する。第１及び第２ハウジングは、電気コンタクトが部分的に嵌合する初期位置と、電気コンタクトが嵌合完了する最終位置との間を移動可能である。電気コネクタは、カムアームを有するレバー部材を具備する。カムアームは、第１ハウジングと係合する保持開口と、第２ハウジングと係合する保持要素とを有する。カムアームは、保持開口により画定される回転軸の回りにレバー部材を所定可動範囲回転させると、初期位置及び最終位置の間で第１及び第２ハウジングを移動させる。第１ハウジングは、カムアームの両側に沿って配置された可撓性突出部を有する。可撓性突出部は、第１及び第２ハウジングが初期位置に位置すると固定位置にカムアームを保持することにより、レバー部材の所定可動範囲内の移動を制限する。第２ハウジングは、可撓性突出部と整列するレールを有する。レールは、第１ハウジングが初期位置から第２ハウジング内へ移動すると、可撓性突出部をカムアームから離れる方向に変位させる。
【００１０】
【発明の実施の形態】
以下、添付図面を参照して本発明を説明する。図１ないし図９は、本発明の好適実施形態を示す斜視図である。上述の課題を解決するための手段は、本発明の実施形態の以下説明と共に添付図面に関連付けて読むと理解をより容易にする。図面及び実施形態の説明は、本発明の例示の目的である。しかし、本発明は添付図面に示された構造及び手段に限定されないことを理解すべきである。
【００１１】
図１は、本発明の一実施形態の電気コネクタ１０を示す、上方から見た斜視図である。電気コネクタ１０は、底部１６及び上部２０を有するハーネスコネクタ１８を具備する。底部１６は電気コンタクト群を保持するパケットを受容するよう構成され、上部２０は電気コンタクトを覆う。１個のモジュールコネクタ２２は、ハーネスコネクタ１８内の電気コンタクトと嵌合するよう構成された電気コンタクトを保持する。ハーネスコネクタ１８は、ハーネスコネクタ１８及びモジュールコネクタ２２の電気コンタクトが（図１に示されるように）嵌合完了する最終位置までモジュールコネクタ２２内に挿入される。レバー部材１４は、ハーネスコネクタ１８の外面上に保持され、モジュールコネクタ２２と係合する。レバー部材１４は、最終位置（図１参照）から初期位置（図７参照）まで矢印Ａ方向に沿って回転可能である。レバー１４は、回転してハーネスコネクタ１８をモジュールコネクタ２２から矢印Ｂ方向に引き上げ、ハーネスコネクタ１８及びモジュールコネクタ２２の電気コンタクトの係合を解除する。
【００１２】
図２は、図１の電気コネクタ１０の分解斜視図である。レバー部材１４は、回転軸３６に沿ってハーネスコネクタ１８から外側に延びる回転軸ポスト３０の回りを回転するカムアーム２６を有する。レバー部材１４は、レバーアーム５８が垂直軸２４に対して直交して整列した状態で方向付けられる。モジュールコネクタ２２は、両側壁１４６と並んで配置された嵌合ポスト４６を有する。嵌合ポスト４６は、ハーネスコネクタ１８がモジュールコネクタ２２の内側に配置される際にカムアーム２６と係合する。ハーネスコネクタ１８の上部２０及び底部１６は、上部２０から延びる保持ラッチ５６及び底部１６の側壁６０から延びる係合ラッチ引っ掛け部７４によって共に固定される。
【００１３】
ハーネスコネクタ１８をモジュールコネクタ２０に挿入するためには、レバーアーム５８が垂直軸２４に対して所定の鋭角（例えば３０°）になるまでレバー部材１４を回転軸３６の回りに矢印Ａ方向に回転させる。次に、ハーネスコネクタ１８およびレバー部材１４を、図７に示される初期位置に到達するまで矢印Ｃ方向に沿ってモジュールコネクタ２２内へ下方に挿入する。ハーネスコネクタ１８が初期位置に位置すると、各カムアーム２６は対向する嵌合ポスト４６と係合する位置に配置される。
【００１４】
図３は、図１及び図２に示されたハーネスコネクタ１８の底部１６をより詳細に示す斜視図である。底部１６は箱型をなし、対向する側壁６０及び対向する端壁６２を有する。底部１６の外周は、ハーネスコネクタ１８をモジュールコネクタ２２内に配置できるように、図１及び図２のモジュールコネクタ２２の内周よりも小さい。
【００１５】
固定二重レール６７は底部１６の一端の対向する側壁６０に配置され、固定レール６６は底部の反対端の対向する側壁６０に配置される。また、固定二重レール６７は固定レール６６に近接して配置される。固定レール６６及び固定二重レール６７は、ハーネスコネクタ１８がモジュールコネクタ２２内に挿入されるように方向付けられると、モジュールコネクタ２２内のキャビティ１００（図４参照）により摺動可能に受容される。
【００１６】
回転軸ポスト３０は、側壁６０の凹部７０の中心から外側に延びる。各カムアーム２６（図２参照）は回転軸ポスト３０を取り囲み、凹部７０に沿って回転軸ポスト３０の周囲を回転する。ハーネスコネクタ１８がモジュールコネクタ２２内に配置されると、カムアーム２６は凹部７０及びモジュールコネクタ２２の側壁１４６（図４参照）の間を回転可能である。また、側壁６０は、上部２０に形成された保持ラッチ５６（図２）とスナップ可能に係合する三角ラッチ引っ掛け部７４を有する。
【００１７】
端固定レール６８は、端壁６２の対向する隅近傍で端壁６２から外側に延びる。端固定レール６８は、モジュールコネクタ２２内に摺動可能に受容され、モジュールコネクタ２２の端壁１５０（図４参照）と係合する。
【００１８】
底部１６は、側壁６０及び端壁６２から延びる壁９９で形成された種々の形状及び寸法のコネクタポケット９８を有する。これらコネクタポケット９８は、開放した頂上部分１０２から開放した底部分１０５までハーネスコネクタ１８を貫通する。コネクタポケット９８は、モジュールコネクタ２２（図４参照）内に収容された電気コンタクトと嵌合する電気コンタクトを保持する。コネクタポケット９８の組間の底部１６内に中心にあるのは、大整列凹部９２及び小整列凹部９６である。これら大小の整列凹部９２，９６は、モジュールコネクタ２２を貫通して延びると共に、ハーネスコネクタ１８がモジュールコネクタ２２内に配置する際にモジュールコネクタ２２に実装された大小の整合ポスト３８，４２（図４参照）を受容し取り囲む。
【００１９】
また、凹部７０は、第１端で凹部７０に形成され第２端で保持楔１０８を有する可撓性ビーム１０４を具備する。可撓性ビーム１０４は、凹部７０の空隙１０６内を下方に延び、一面に沿って凹部７０と整合する。保持楔１０８は、凹部７０の面を越えて可撓性ビーム１０４から外側に延びる。保持楔１０８は、可撓性ビーム１０４から直交方向外側に延びて平坦な側面１２２を結合させる平坦抵抗面１１６を有する。面取りされた底面１２０は、側面１２２から可撓性ビーム１０４の第２端まで鋭角に延びる。抵抗面１１６は、対向端においてカムアーム２６（図２参照）の平坦な固定突出部１４４（図５参照）と係合するので、後述するようにカムアーム２６が回転軸３６の周囲を回転するのを防止する。可撓性ビーム１０４は、ハーネスコネクタ１８が初期位置から最終位置までモジュールコネクタ２２内に移動する際に、モジュールコネクタ２２の側壁１４６から延びる可撓性レール１１２（図４参照）により抵抗を受けるとハーネスコネクタ１８へ内方に偏倚できる。
【００２０】
図４は、モジュールコネクタ２２をより詳細に示す斜視図である。２つの側壁１４６は両端壁１５０と一体に形成され、両端壁１５０に直交して整列する。側壁１４６及び端壁１５０は基部１５４と一体に形成され、基部１５４から上方に延びる。基部１５４は、側壁１４６及び端壁１５０がラジオ等の電子部品（図示せず）から外側に延びた状態で、電子部品に実装される。種々の寸法及び形状のコンタクトスロット１５８は基部１５４を貫通して延びる。モジュールコネクタ２２内に配置される電気コンタクトは、コンタクトスロット１５８を通って電子部品に接続される。また、大小の整列ポスト３８，４２も基部１５４の中心から上方に延びる。
【００２１】
側壁１４６は、その外面に沿ったレール収容室１６２を有する。レール収容室１６２は、側壁１４６の内面に沿ったキャビティ１００を画定する。ハーネスコネクタ１８（図３参照）がモジュールコネクタ２２内に配置される際に、ハーネスコネクタ１８の側面６０に位置する対応する固定レール６６及び固定二重レール６７をキャビティ１００が受容するように、レール収容室１６２が各側壁１４６に沿って適当に位置する。このため、レール収容室１６２は、固定レール６６，６７を保持すると共に、ハーネスコネクタ１８をモジュールコネクタ２２内に適当な方向に案内する。
【００２２】
嵌合ポスト４６は、側壁１４６から内方に延びて互いに向かい合う。嵌合ポスト４６は、他の側壁１４６から延びる嵌合ポスト４６とは逆向きである。各側壁１４６は、ハーネスコネクタ１８がモジュールコネクタ２２の内側に位置する際に、各カムアーム２６（図２参照）が依然として嵌合ポスト４６と係合した状態で、レバー部材１４及びハーネスコネクタ１８の上部２０（図２参照）を２方向のうちいずれか一方向に底部１６と接続できるように、２本の嵌合ポスト４６を有してもよい。
【００２３】
嵌合ポスト４６は矩形形状をなし、平坦な上面１６６を有する。楔状歯１７０は、上面１６６近傍の各嵌合ポスト４６の内面から延びる。歯１７０は、上面１６６から底部分１８２まで鋭角に下方に延びる上部分１７８を有する。底部分１８２は、内側壁から上方且つ内側壁に対して鈍角に延びる。動作においては、カムアーム２６（図２参照）を回転させて電気コネクタ１０を初期位置から最終位置まで移動させると、カムアーム２６は底部分１８２と係合して底部分１８２により抵抗を受ける。また、カムアーム２６を回転させて電気コネクタ１０を最終位置から初期位置まで移動させると、カムアーム２６は上部分１７８と係合して上部分１７８により抵抗を受ける。
【００２４】
可撓性のレール１１２は、各嵌合ポスト４６から反対側の側壁１４６に向かって内方に延びる。各側壁１４６に沿った可撓性レール１１２は、反対側の可撓性レール１１２を向く。可撓性レール１１２は矩形形状をなし、面取りされた面１２８を有する。面取り面１２８は、上面１３６から前面１４０まで（図３の保持楔１０８の底面１２０の角度と同じ）鋭角で下方に傾斜する。ハーネスコネクタ１８がモジュールコネクタ２２内に移動すると、可撓性レール１１２の前面１４０はハーネスコネクタ１８の凹部７０に沿って摺動する。保持楔１０８の底面１２０は、可撓性レール１１２の面取り面１２８と摺動可能に係合する。可撓性レール１１２は保持楔１０８に抵抗し、可撓性ビーム１０４は、保持楔１０８が凹部７０の平面に沿って整列するまでハーネスコネクタ１８内へ内方に押し込まれる。
【００２５】
図５は、レバー部材１４をより詳細に示す斜視図である。ハンドル１１０はレバーアーム５８と一体に形成され、レバーアーム５８間を延びる。レバーアーム５８は互いに平行に突出し、対応するカムアーム２６に結合する。薄い接触基部１１４はカムアーム２６の内面に沿って延び、保持開口１１８はカムアーム２６及び接触基部１１４を貫通して設けられる。接触基部１１４は、平行な水平板１２１に沿って前方へ突出する固定突出部１４４を有する。接触基部１１４が回転軸ポスト３０を摺動して乗り越えて回転軸ポスト３０が保持開口１１８内に囲まれるまで、互いに離れる外側にレバーアーム５８を撓めることにより、レバー部材１４がハーネスコネクタ１８に取り付けられる。レバー部材１４が矢印Ｍ方向に沿って回転軸ポスト３０へ下方に移動すると、固定突出部１４４が平行な向きになって保持楔１０８（図３参照）の抵抗面１１６に当接する。これにより、レバーアーム５８を垂直軸２４（図２参照）に対して所定の鋭角に向け、嵌合ポスト４６及び切欠１２６間の適切な整合を保証する。
【００２６】
各カムアーム２６は、その周辺面に形成された切欠１２６を有する。切欠１２６は、外しギア面１３４と互いに向かい合うギア面１３８を有する。レバー部材１４を回転させて電気コネクタ１０を初期位置（図７参照）から最終位置（図８参照）まで移動させると、ギア面１３８は後述するように嵌合ポスト４６（図２参照）の歯１７０の底部分１８２と係合する。また、レバー部材１４を回転させて電気コネクタ１０を最終位置から初期位置まで移動させると、外しギア面１３４は後述するように嵌合ポスト４６の歯１７０の上部分１７８と係合する。
【００２７】
図９は、レバー部材１４及びハーネスコネクタ１８を示す側面図である。カムアーム２６が回転軸ポスト３０の周囲に挿入完了すると、固定突出部１４４は抵抗面１１６と係合すると共に抵抗面１１６により抵抗を受ける結果、レバー部材１４が固定位置に保持されて回転が防止される。このため、レバーアーム５８は垂直軸２４に対して所定鋭角で直立状態を保たれ、カムアーム２６は嵌合ポスト４６（図４参照）間に挿入されるように適切に方向付けられる。次に、ハーネスコネクタ１８及びレバー部材１４は、可撓性レール１１２が可撓性ビーム１０４と係合する初期位置までモジュールコネクタ２２（図４参照）内に挿入される。可撓性レール１１２が可撓性ビーム１０４と係合すると、抵抗面１１６が固定突出部１４４と最早接触せず、レバー部材１４の回転を最早妨げなくなるまで、可撓性ビーム１０４がハーネスコネクタ１８に向かって内方に偏倚される。
【００２８】
図６は、レバー部材１４が固定位置に位置する状態で、図１の電気コネクタ１０の一部を切り取った拡大側面図である。ハーネスコネクタ１８は、初期位置に到達するまで矢印Ｐ方向にモジュールコネクタ２２内へ移動する。抵抗面１１６は固定突出部１４４と係合し、レバー部材１４は回転を防止される。このため、外しギア面１３４は歯１７０上に適切に整合し、カムアーム２６は嵌合ポスト４６間を摺動するよう適切に方向付けられ嵌合ポスト４６と係合する。
【００２９】
ハーネスコネクタ１８が初期位置に移動完了すると、保持楔１０８の底面１２０は可撓性レール１１２の面取り面１２８に抗して摺動する。
【００３０】
可撓性レール１１２は、保持楔１０８を矢印Ｒ方向に偏倚して保持楔１０８及び可撓性ビーム１０４を矢印Ｒ方向に沿ってハーネスコネクタ１８に向かった内方に変位させる。保持楔１０８が内方に変位すると、側面１２２が可撓性レール１１２の前面１４０に沿って摺動することができる。従って、抵抗面１１６は固定突出部１４４に最早係合せず、レバー部材１４は回転軸ポスト３０の回りを回転可能である。また、ハーネスコネクタ１８が矢印Ｔの方向に沿ってモジュールコネクタ２２から上方に引っ張られると、可撓性ビーム１０４は非偏倚位置に戻り、抵抗面１１６はカムアーム２６を固定位置に維持したままである。
【００３１】
図７は、図１の電気コネクタ１０が初期位置に位置する状態での一部を切り取った側面図である。レバーアーム５８は垂直軸２４に対して鋭角に方向付けられ、歯１７０は切欠１２６内に部分的に配置されて外しギア面１３４と係合する。ハーネスコネクタ１８をモジュールコネクタ２２内にさらに挿入して電気コンタクトを嵌合させるために、回転軸ポスト３０の回転軸３６の回りの矢印Ｊ方向に沿ってレバー部材１４を回転させる。レバー部材１４を矢印Ｊ方向に沿って回転軸３６の回りに回転させると、ギア面１３８が歯１７０の底部分１８２に係合し、底部分１８２は矢印Ｎ方向に沿ったギア面１３８の上方への移動に抵抗し、カムアーム２６に矢印Ｏ方向に沿った垂直下方向へ回転軸ポスト３０を引っ張らせる。回転軸ポスト３０が下方へ引っ張られると、今度は互いに嵌合する電気コンタクト間の静的及び動的摩擦に打ち勝つ十分な力でハーネスコネクタ１８が最終位置（図８参照）へ下方に引っ張られるので、電気コンタクトの接続が完了する。
【００３２】
図８は、図１の電気コネクタが最終位置に位置する状態での一部を切り取った側面図である。レバーアーム５８は垂直軸２４に対して水平方向を向き、ギア面１３８は歯１７０の底部分１８２と係合する。ハーネスコネクタ１８内の電気コンタクトは、モジュールコネクタ２２内の電気コンタクトとの嵌合が完了する。電気コンタクトの嵌合を解除しハーネスコネクタ１８を初期位置に戻すために、作業者はハンドル１１０を使って回転軸３６の回りの矢印Ｑ方向にレバー部材１４を回転させる。レバー部材１４を回転軸３６の回りの矢印Ｑ方向に回転させると、外しギア面１３４は歯１７０の上部分１７８と係合し、上部分１７８は矢印Ｓの方向に沿った外しギア面１３４の下方への移動に抵抗する。このため、カムアーム２６が矢印Ｖ方向に沿った垂直上方向に回転軸ポスト３０を引っ張る。回転軸ポスト３０が上方に引っ張られると、今度は互いに嵌合する電気コンタクト間の静的及び動的摩擦に打ち勝ち電気コンタクトを嵌合解除する十分な力でハーネスコネクタ１８が初期位置（図７参照）へ向けて下方に引っ張られる。
【００３３】
【発明の効果】
本発明の電気コネクタを種々の利点を与える。とりわけレバー部材がハーネスコネクタに対して配置される際に、可撓性ビームの保持楔がカムアームの固定突出部と係合することである。カムアームに沿った対向する両端で固定突出部と係合することにより、カムアームが嵌合ポスト間に適切に整列した状態でレバー部材がモジュールコネクタ内に下がるように、保持楔がレバー部材を固定位置に維持する。第２は、ハーネスコネクタがモジュールコネクタ内へ初期位置に移動すると、可撓性レールが可撓性ビームと係合し、その結果、保持楔が固定突出部から離れる方向に押し出される。保持楔が固定突出部と最早係合しないと、レバーアームは回転され、ハーネスコネクタを初期位置及び最終位置間を移動させる。
【００３４】
特定実施形態を参照して本発明を説明したが、本発明の範囲から逸脱することなく種々の変更が可能であり、均等物に置換可能であることは当業者に理解されよう。さらに、本発明の範囲から逸脱することなく本発明の教示に特定の条件又は材料を適用して種々の変形を加えることができる。従って、開示された特定実施形態に本発明を限定することは意図されておらず、本発明は特許請求の範囲にカバーされる全ての実施形態を含むものである。
【図面の簡単な説明】
【図１】本発明の一実施形態の電気コネクタを示す、上方から見た斜視図である。
【図２】図１の電気コネクタの分解斜視図である。
【図３】図１及び図２に示されたハーネスコネクタの底部を示す斜視図である。
【図４】図１及び図２に示されたモジュールコネクタを示す斜視図である。
【図５】図１及び図２に示されたレバー部材を示す斜視図である。
【図６】レバー部材が固定位置に位置する状態で、図１の電気コネクタの一部を切り取った拡大側面図である。
【図７】図１の電気コネクタが初期位置に位置する状態での一部を切り取った側面図である。
【図８】図１の電気コネクタが最終位置に位置する状態での一部を切り取った側面図である。
【図９】図９は、レバー部材及びハーネスコネクタを示す側面図である。
【符号の説明】
１０    電気コネクタ
１４    レバー部材
１８    ハーネスコネクタ（第１ハウジング）
２２    モジュールコネクタ（第２ハウジング）
２６    カムアーム
４６    嵌合ポスト
１０４  可撓性ビーム（可撓性突出部）
１１２  可撓性レール（レール）
１１８  保持開口
１３８  ギア面（保持要素）
【図１】
0004140950.tif 000002
【図２】
0004140950.tif 000003
【図３】
0004140950.tif 000004
【図４】
0004140950.tif 000005
【図５】
0004140950.tif 000006
【図６】
0004140950.tif 000007
【図７】
0004140950.tif 000008
【図８】
0004140950.tif 000009
【図９】
0004140950.tif 000010